【手続補正書】
【提出日】平成17年5月23日(2005.5.23)
【手続補正１】
【補正対象書類名】明細書
【補正対象項目名】特許請求の範囲
【補正方法】変更
【補正の内容】
【特許請求の範囲】
【請求項１】
画像処理装置を制御するための画像処理方法であって、
画像に対して自動方向補正を行う自動モード或いは操作者により選択された方向に従って処理する手動モードのいずれかを、指示入力画面を介して操作者に指示させ、当該操作者により指示されたモードを保存する保存工程と、
前記保存工程で自動モードが保存されている場合、入力画像の方向を自動判別して、当該自動判別された方向に正立するように、当該入力画像を必要に応じて回転補正する第１の方向補正工程と、
前記保存工程で手動モードが保存されている場合、入力画像が前記操作者により選択された方向に正立するように、当該入力画像を必要に応じて回転補正する第２の方向補正工程と、
前記第１の方向補正工程または前記第２の方向補正工程で正立するように処理された入力画像に対して、所定の処理を実行するように制御する所定処理実行工程と、
を有することを特徴とする画像処理方法。
【請求項２】
前記所定処理実行工程で実行される所定の処理は、文字認識処理であることを特徴とする請求項１に記載の画像処理方法。
【請求項３】
前記保存工程で保存されるモードは、前記入力画像が入力される以前に保存されることを特徴とする請求項１に記載の画像処理方法。
【請求項４】
前記第１の方向補正工程で、自動的に判別する入力画像の方向は、０度、９０度、１８０度、２７０度のいずれかであることを特徴とする請求項１に記載の画像処理方法。
【請求項５】
前記手動モードでは、回転なし、９０度、１８０度、２７０度のいずれかの方向が前記操作者により選択され、
前記第２の方向補正工程では、前記９０度、１８０度、２７０度のいずれかが選択されている場合、当該選択された方向に前記入力画像を回転補正し、前記回転なしが選択されている場合、前記入力画像を回転補正しないことを特徴とする請求項１に記載の画像処理方法。
【請求項６】
更に、前記第１の方向補正工程で自動的に判別した方向の精度を判定し、判定結果を出力することを特徴とする請求項１に記載の画像処理方法。
【請求項７】
前記第１の方向補正工程で自動的に方向を判別する際、当該入力画像内に含まれる文字画像を用いることを特徴とする請求項１に記載の画像処理方法。
【請求項８】
更に、前記第１の方向補正工程で自動的に判別した方向の精度を判定し、当該精度が不良であると判定された場合は、方向補正処理が不可能である旨を報知することを特徴とする請求項１に記載の画像処理方法。
【請求項９】
更に、前記第１の方向補正工程で自動的に判別した方向の精度を判定し、判定結果を当該入力画像と関連付けて記憶することを特徴とする請求項１に記載の画像処理方法。
【請求項１０】
前記所定処理実行工程で実行される所定の処理は、領域識別処理と文字認識処理であることを特徴とする請求項１に記載の画像処理方法。
【請求項１１】
前記指示入力画面では、前記自動モードを示すボタンと、前記手動モードで選択可能な方向を示すそれぞれの方向のボタンとを一覧表示し、当該一覧表示されたボタンの中から前記操作者により１つだけ選択可能となるように表示制御することを特徴とする請求項１に記載の画像処理方法。
【請求項１２】
前記文字認識処理の結果を印刷するように制御する印刷工程を、更に有することを特徴とする請求項２又は１０のいずれかに記載の画像処理方法。
【請求項１３】
画像に対して自動方向補正を行う自動モード或いは操作者により選択された方向に従って処理する手動モードのいずれかを、指示入力画面を介して操作者に指示させ、当該操作者により指示されたモードを保存する保存手段と、
前記保存手段で自動モードが保存されている場合、入力画像の方向を自動判別して、当該自動判別された方向に正立するように、当該入力画像を必要に応じて回転補正する第１の方向補正手段と、
前記保存手段で手動モードが保存されている場合、入力画像が前記操作者により選択された方向に正立するように、当該入力画像を必要に応じて回転補正する第２の方向補正手段と、
前記第１の方向補正手段または前記第２の方向補正手段で正立するように処理された入力画像に対して、所定の処理を実行する所定処理実行手段と、
を有することを特徴とする画像処理装置。
【請求項１４】
画像に対して自動方向補正を行う自動モード或いは操作者により選択された方向に従って処理する手動モードのいずれかを、指示入力画面を介して操作者に指示させ、当該操作者により指示されたモードを保存する保存工程と、
前記保存工程で自動モードが保存されている場合、入力画像の方向を自動判別して、当該自動判別された方向に正立するように、当該入力画像を必要に応じて回転補正する第１の方向補正工程と、
前記保存工程で手動モードが保存されている場合、入力画像が前記操作者により選択された方向に正立するように、当該入力画像を必要に応じて回転補正する第２の方向補正工程と、
前記第１の方向補正工程または前記第２の方向補正工程で正立するように処理された入力画像に対して、所定の処理を実行する所定処理実行工程と、
の各工程をコンピュータに実行させるための制御プログラムを格納した、コンピュータ読取可能な記憶媒体。
【手続補正２】
【補正対象書類名】明細書
【補正対象項目名】０００６
【補正方法】変更
【補正の内容】
【０００６】
【課題を解決するための手段】
上記課題を解決するために、本発明の画像処理方法は、画像処理装置を制御するための画像処理方法であって、画像に対して自動方向補正を行う自動モード或いは操作者により選択された方向に従って処理する手動モードのいずれかを、指示入力画面を介して操作者に指示させ、当該操作者により指示されたモードを保存する保存工程と、前記保存工程で自動モードが保存されている場合、入力画像の方向を自動判別して、当該自動判別された方向に正立するように、当該入力画像を必要に応じて回転補正する第１の方向補正工程と、前記保存工程で手動モードが保存されている場合、入力画像が前記操作者により選択された方向に正立するように、当該入力画像を必要に応じて回転補正する第２の方向補正工程と、前記第１の方向補正工程または前記第２の方向補正工程で正立するように処理された入力画像に対して、所定の処理を実行するように制御する所定処理実行工程と、を有する。
【手続補正３】
【補正対象書類名】明細書
【補正対象項目名】０００７
【補正方法】変更
【補正の内容】
【０００７】
上記課題を解決するために、本発明の画像処理装置は、画像に対して自動方向補正を行う自動モード或いは操作者により選択された方向に従って処理する手動モードのいずれかを、指示入力画面を介して操作者に指示させ、当該操作者により指示されたモードを保存する保存手段と、前記保存手段で自動モードが保存されている場合、入力画像の方向を自動判別して、当該自動判別された方向に正立するように、当該入力画像を必要に応じて回転補正する第１の方向補正手段と、前記保存手段で手動モードが保存されている場合、入力画像が前記操作者により選択された方向に正立するように、当該入力画像を必要に応じて回転補正する第２の方向補正手段と、前記第１の方向補正手段または前記第２の方向補正手段で正立するように処理された入力画像に対して、所定の処理を実行する所定処理実行手段と、を有する。
【手続補正４】
【補正対象書類名】明細書
【補正対象項目名】０００８
【補正方法】変更
【補正の内容】
【０００８】
上記課題を解決するために、本発明のコンピュータ読取可能な記憶媒体は、画像に対して自動方向補正を行う自動モード或いは操作者により選択された方向に従って処理する手動モードのいずれかを、指示入力画面を介して操作者に指示させ、当該操作者により指示されたモードを保存する保存工程と、前記保存工程で自動モードが保存されている場合、入力画像の方向を自動判別して、当該自動判別された方向に正立するように、当該入力画像を必要に応じて回転補正する第１の方向補正工程と、前記保存工程で手動モードが保存されている場合、入力画像が前記操作者により選択された方向に正立するように、当該入力画像を必要に応じて回転補正する第２の方向補正工程と、前記第１の方向補正工程または前記第２の方向補正工程で正立するように処理された入力画像に対して、所定の処理を実行する所定処理実行工程と、の各工程をコンピュータに実行させるための制御プログラムを格納する。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】